【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
２つの缶容器内に、または２つの内側容器を有する１つの缶容器内に、少なくとも２種類の殺菌水生成用薬液を混合しないようにして、圧縮性ガスまたは液化ガスと共に充填し、前記２つの缶容器または前記２つの内側容器の一方には、塩酸または酢酸、過飽和炭酸ガス含有水その他の有機酸や硫酸などの、いずれか一つ又は複数の酸の希釈溶液を入れ、他方には次亜塩素酸塩及び又は亜塩素酸塩、苛性ソーダの何れか一つ又は複数の混合液からなる希釈溶液を入れ、前記缶容器内に充填した前記圧縮性ガスまたは前記液化ガスによって、少なくとも２種類の薬液を同時に噴出させる機構と、この噴出薬液を混合させる管路及び又は機構を有し、先端部近傍に噴射ノズルを備えた殺菌水生成装置において次亜塩素酸濃度または二酸化塩素濃度が５ｐｐｍ〜１０００ｐｐｍでｐＨ２．５〜７．７になるようにすることを特徴とするスプレー式殺菌水生成方法。
【請求項２】
前記次亜塩素酸塩及び又は亜塩素酸塩の希釈溶液が苛性ソーダによりｐＨ８以上に調整された希釈溶液であることを特徴とする請求項１記載のスプレー式殺菌水生成方法。
【請求項３】
混合しないように、別々に収納された、少なくとも２種類の前記殺菌水生成用薬液の全てに含まれる、塩化ナトリュームの総濃度が０．６〜１．２％の範囲になるよう調整された殺菌水生成用薬液であることを特徴とする請求項１記載のスプレー式殺菌水生成方法。
【請求項４】
２つの缶容器内がポリエチレン、ポリプロピレン、フッ素系樹脂、塩化ビニール系樹脂、ゴム系材質その他の耐薬剤性素材等の保護材で内表面を耐腐食処理された貯蔵缶容器であることを特徴とする請求項１乃至３の何れかに記載のスプレー式殺菌水生成方法。
【請求項５】
前記２つの缶容器のそれぞれに、前記保護材で作られた柔軟で変形可能なバッグ状の内側容器が１つずつ前記圧縮性ガスまたは前記液化ガスと共に収容され、前記内側容器内に前記ガス等が混入しないようになっていることを特徴とする請求項１乃至４の何れかに記載のスプレー式殺菌水生成方法。
【請求項６】
１つの前記缶容器内に前記保護材で作られた２つの柔軟で変形可能なバッグ状の内側容器と前記圧縮性ガスまたは前記液化ガスが共に収納され、前記内側容器内の薬液同士と前記圧縮性ガスまたは前記液化ガスがいずれも互いに混合しないようになっていることを特徴とする請求項１乃至４の何れかにの記載のスプレー式殺菌水生成方法。
【請求項７】
１つの前記缶容器内に前記保護材で作られた１つの柔軟で変形可能なバッグ状の内側容器と前記圧縮性ガスまたは前記液化ガスが共に収納され、前記内側容器内に前記少なくとも２種類の殺菌水生成用薬液のうち、一方が収納され、他方は缶容器と内側容器の間に、前記圧縮性ガスまたは前記液化ガスと共に収納され、内側容器内の薬液と互いに混合しないようになっていることを特徴とする請求項１乃至４の何れかに記載のスプレー式殺菌水生成方法。
【請求項８】
２つの内側容器を有する１つの缶容器内に、少なくとも２種類の殺菌水生成用薬液を、２つの前記保護材で作られた柔軟で変形可能なバッグ状の内側容器内に混合しないよう別々に収納し、圧縮性ガスまたは液化ガスを缶容器内に、内側容器の外側に充填し、前記２つの内側容器の一方には、塩酸または酢酸、炭酸、過飽和炭酸ガス含有水、その他の有機酸や硫酸などの、いずれか一つ又は複数の酸の希釈溶液を入れ、他方には次亜塩素酸塩及び又は亜塩素酸塩の希釈溶液を入れ、少なくても２種類の薬液を、前記圧縮性ガスまたは液化ガスの圧力下に貯蔵することを特徴とする殺菌水生成材料の貯蔵缶。
【請求項９】
１つの前記保護材で作られた柔軟で変形可能なバッグ状の内側容器を有する、内表面がフッ素樹脂コーティング等の耐腐食処理を施した１つの缶容器内に、少なくとも２種類の殺菌水生成用薬液を互いに混合しないよう、前記内側容器内及び内側容器と缶容器との間に、一方には塩酸または酢酸、炭酸その他の有機酸や硫酸などの、いずれか一つ又は複数の酸の希釈溶液を入れ、他方には次亜塩素酸塩及び又は亜塩素酸塩の希釈溶液を共に充填し、少なくとも２種類の薬液を前記圧縮性ガスまたは液化ガスの圧力下に貯蔵することを特徴とする殺菌水生成材料の貯蔵缶。
【請求項１０】
前記缶容器が噴射手段を有し、該噴射手段を開くと加圧下にある前記殺菌水生成用薬液が前記噴射手段によって噴射されることを特徴とする請求項８又は９に記載の殺菌水生成材料の貯蔵缶。
【請求項１１】
前記次亜塩素酸塩及び又は亜塩素酸塩の希釈溶液が苛性ソーダによりｐＨが８以上で１２以下に調整された希釈溶液であることを特徴とする請求項８乃至１０の何れかに記載の殺菌水生成材料の貯蔵缶。
【請求項１２】
混合しないように別々に収納された、少なくとも２種類の前記殺菌水生成用薬液の、塩化ナトリュームの総濃度が０.６〜１.２％の範囲になるよう調整されたことを特徴とする請求項１１記載の殺菌水生成材料の貯蔵缶。
【請求項１３】
前記缶容器内に充填される圧縮性ガス又は液化ガスが、空気、窒素ガス、ＬＰＧなどの圧縮性ガス、炭酸ガス、又はこれらの２つ以上の混合ガスであることを特徴とする請求項１１又は１２に記載の殺菌水生成材料の貯蔵缶。
【請求項１４】
少なくとも２種類の薬液を貯蔵した前記缶容器内に充填した前記圧縮性ガスまたは前記液化ガスによって、少なくとも２種類の薬液を同時に噴出させる機構とこの噴出薬液を混合させて、次亜塩素酸濃度または、二酸化塩素濃度が５ｐｐｍ〜１０００ｐｐｍでｐＨ２.５〜７.７の殺菌水に混合する機構と、先端部近傍に噴射ノズルを備え、前記殺菌水を噴射ノズルより噴射する機構を有する請求項１３記載の殺菌水生成材料の貯蔵缶を使用するスプレー式殺菌装置。
【請求項１５】
前記噴射ノズルより噴射する機構が直噴射、シャワー状噴射、細かい霧状噴射、閉状態のいずれか一つを選択できるようになっていることを特徴とする請求項１４記載のスプレー式殺菌装置。
【請求項１６】
前記噴射ノズルより噴射する機構の噴射部に基端部が接続されるとともに、先端側に行くに従って広がっているカバーを取り外し自由に装着できるような機構を有する請求項１４又は１５に記載のスプレー式殺菌装置。
【請求項１７】
前記カバーが円錐状、釣鐘状、またはベローズ状の形状を有し且つほぼ透明であることを特徴とする請求項１６記載のスプレー式殺菌装置。
【請求項１８】
前記カバーが柔軟であってしかも所定の形状維持機能を有することを特徴とする請求項１４又は１５に記載のスプレー式殺菌装置。
【請求項１９】
ポータブルな缶容器から次亜塩素酸塩又は亜塩素酸塩と炭酸水とを同時に吐出させつつ混合させることにより、弱酸性又は略中性の次亜塩素酸濃度又は二酸化塩素濃度が５ｐｐｍ〜１０００ｐｐｍの殺菌水を生成することを特徴とするスプレー式殺菌水生成方法。
【請求項２０】
外側容器の内部に柔軟な内側容器を有するポータブルな内外二重の殺菌水生成材料の貯蔵缶であって、
前記内側容器に収容された次亜塩素酸塩又は亜塩素酸塩と、
該内側容器内の次亜塩素酸塩又は亜塩素酸塩を吐出させるための第１の噴射ノズルと、
前記内側容器と前記外側容器との間に収容された炭酸水と、
前記内側容器と前記外側容器との間に充填された炭酸ガスと、
前記内側容器と前記外側容器との間の炭酸水を吐出するための第２の噴射ノズルとを有し、
前記第１、第２の噴射ノズルを一緒に操作することにより、前記炭酸ガスの圧力により前記次亜塩素酸塩又は亜塩素酸塩と前記炭酸水とが前記第１、第２の噴射ノズルから吐出しながら混合することにより、弱酸性又は略中性の次亜塩素酸濃度又は二酸化塩素濃度が５ｐｐｍ〜１０００ｐｐｍの殺菌水を生成することができることを特徴とする殺菌水生成材料の貯蔵缶。
【請求項２１】
前記内側容器に収容された次亜塩素酸塩又は亜塩素酸塩が、苛性ソーダによりｐＨ８〜１２に調整された希釈液からなる、請求項２０に記載の殺菌水生成材料の貯蔵缶。